(57)【要約】【課題】照度の量などの外部環境の条件に関わらずコード画像を正確に読み取ることができ、正確に入退室処理を行うことができるようにする。【解決手段】入退室者検知手段である人感センサ１１０が、入退室処理を行うためにコード画像を読み取るカメラ２００の近くに入退室者が来たか否かを検知し、照度検知手段である照度センサ１２０が、入退室検知手段である人感センサ１１０が入退室者を検知すると、カメラ２００の撮像範囲の照度を検知し、ライト１３０が、照度検知手段である照度センサ１２０が検知した照度に応じて光る。【選択図】図１
2016009302.tif 000002
【特許請求の範囲】
【請求項１】
カメラを用いてコード画像を読み取り、入退室処理を行う入退室処理手段を備える入退室処理装置において、
前記カメラの近くに入退室者が来たか否かを検知する入退室者検知手段と、
前記入退室検知手段が入退室者を検知すると、前記カメラの撮像範囲の照度を検知する照度検知手段と、
前記照度検知手段が検知した照度に応じて光るライトと、
を備える入退室処理装置。
【請求項２】
前記カメラが一体に備えられ、
前記ライトが前記カメラの周囲に複数配置され、
複数配置された前記ライトが、あらかじめ設定されたパターンに応じて光ることを特徴とする請求項１記載の入退室処理装置。
【請求項３】
前記コード画像がカラーのコードであって、
前記ライトが、白色であることを特徴とする請求項１記載の入退室処理装置。
【請求項４】
前記入退室処理手段が、前記入退室処理を行ったときに前記カメラに写っている入退室時画像を保存することを特徴とする請求項１記載の入退室処理装置。
【請求項５】
前記入退室処理手段が、前記入退室時画像をネットワーク経由で送信することを特徴とする請求項４記載の入退室処理装置。
【請求項６】
カメラを用いてコード画像を読み取り、入退室処理手段が、入退室処理を行う入退室処理方法において、
入退室者検知手段が、前記カメラの近くに入退室者が来たか否かを検知するステップと、
照度検知手段が、前記入退室検知手段が入退室者を検知すると、前記カメラの撮像範囲の照度を検知するステップと、
ライトが、前記照度検知手段が検知した照度に応じて光るステップと、
を備える入退室処理方法。
【発明の詳細な説明】
【技術分野】
【０００１】
本発明は、入退室処理装置、および方法に関し、特にカメラを用いてコードを読み取り、入退室処理を行う入退室処理装置、および方法に関する。
【背景技術】
【０００２】
従来から様々な方式を用いた入退室のシステムが提供されている。たとえば、入室者がＩＣ（Integrated Circuit）カードを認証機にかざして正当な入室者であることを証明するシステムや、生体認証によって正当な入室者であることを証明するシステムなどがある。
【０００３】
しかし、このような入退室のシステムはシステムを構築するためのコストが高くなる傾向にある。たとえば、ＩＣカードは１枚の値段も高く、特に多くの人数を認証するためのシステムを運用するときに大きなコスト上昇要因になっている。また、生体認証システムにおいては、高度な認証技術が必要となり、システムのコスト上昇要因になっている。
【０００４】
そこで、比較的に普及が進んでいる入退室用のカメラを用いて画像処理を用いてコード画像を読み取り、入退室処理を行う入退室システムが提案されている（たとえば、特許文献１参照）。
【先行技術文献】
【特許文献】
【０００５】
【特許文献１】特開２００４−２３８９６５号公報
【発明の概要】
【発明が解決しようとする課題】
【０００６】
しかし、照度や彩度の量などの外部環境の条件によってコード画像を正確に読み取ることができないという問題があった。特に、コード画像がカラーコードの場合には問題が顕著である。
【０００７】
本発明はこのような点に鑑みてなされたものであり、照度の量などの外部環境の条件に関わらずコード画像を正確に読み取ることができ、正確に入退室処理を行うことができる入退室処理装置、および方法を提供することを目的とする。
【課題を解決するための手段】
【０００８】
本発明では上記問題を解決するために、カメラを用いてコード画像を読み取り、入退室処理を行う入退室処理手段を備える入退室処理装置において、前記カメラの近くに入退室者が来たか否かを検知する入退室者検知手段と、前記入退室検知手段が入退室者を検知すると、前記カメラの撮像範囲の照度を検知する照度検知手段と、前記照度検知手段が検知した照度に応じて光るライトとを備える入退室処理装置が提供される。
【０００９】
これにより、入退室者検知手段が、入退室処理を行うためにコード画像を読み取るカメラの近くに入退室者が来たか否かを検知し、照度検知手段が、前記入退室検知手段が入退室者を検知すると、前記カメラの撮像範囲の照度を検知し、ライトが、前記照度検知手段が検知した照度に応じて光る。
【００１０】
また、本発明では、カメラを用いてコード画像を読み取り、入退室処理手段が、入退室処理を行う入退室処理方法において、入退室者検知手段が、前記カメラの近くに入退室者が来たか否かを検知するステップと、照度検知手段が、前記入退室検知手段が入退室者を検知すると、前記カメラの撮像範囲の照度を検知するステップと、ライトが、前記照度検知手段が検知した照度に応じて光るステップとを備える入退室処理方法が提供される。
【００１１】
これにより、入退室者検知手段が、入退室処理を行うためにコード画像を読み取るカメラの近くに入退室者が来たか否かを検知し、照度検知手段が、前記入退室検知手段が入退室者を検知すると、前記カメラの撮像範囲の照度を検知し、ライトが、前記照度検知手段が検知した照度に応じて光る。
【発明の効果】
【００１２】
本発明の入退室処理装置、および方法によれば、入退室処理を行うためにコード画像を読み取るカメラの近くに入退室者が来たか否かを検知し、入退室者を検知すると、カメラの撮像範囲の照度を検知し、検知した照度に応じてライトが光るので、照度の量などの外部環境の条件に関わらずコード画像を正確に読み取ることができ、正確に入退室処理を行うことができる。
【図面の簡単な説明】
【００１３】
【図１】本実施の形態に適用される発明の概念図である。
【図２】本実施の形態に係る入退室処理装置の外観を示す図である。
【図３】入退室処理装置の全体の処理の手順を示すフローチャートである。
【発明を実施するための形態】
【００１４】
以下、本発明の実施の形態を図面を参照して詳細に説明する。
図１は、本実施の形態に適用される発明の概念図である。
図１に示すように、入退室処理装置１００は、人感センサ１１０、照度センサ１２０、ライト１３０、および入退室処理部１４０を備えている。また、入退室処理装置１００は、カメラ２００と接続されている。
【００１５】
人感センサ１１０は、カメラ２００の近くに入室者が来たことを検知するセンサである。照度センサ１２０は、カメラ２００の撮像範囲の照度を検知するセンサである。
【００１６】
人感センサ１１０が、カメラ２００の近くに入室者が来たことを検知すると、照度センサ１２０が、カメラ２００の撮像範囲の照度を検知する。そして、照度センサ１２０が検知した照度に応じてライト１３０が発光する。
【００１７】
また、人感センサ１１０が、カメラ２００の近くに入室者が来たことを検知すると、カメラ２００を起動する。カメラ２００が撮像した画像は入退室処理部１４０に送られる。入退室処理部１４０は、カメラ２００が撮像した画像に適切なコード画像が写っているときに入室者の入室を認める処理を行う。たとえば、入室を認めたときに、接続されている解錠装置を起動すべく、鍵のかかったドアを解錠するための解錠信号を送信する。
【００１８】
図２は、本実施の形態に係る入退室処理装置の外観を示す図である。
図２に示すように、入退室処理装置１００は、たとえばカメラ２００が一体に組み込まれている。カメラ２００の周りにはＬＥＤ（Light Emitting Diode）照明が４つで一組のライト１３０として組み込まれている。
【００１９】
このような入退室処理装置１００が、入室制限がかかっているエリアの入口に設置されたドアの横に設置されて用いられる。
【００２０】
なお、ライト１３０は、４つ全部が一度に光るようにしてもよいが、照度センサ１２０が検知した照度に応じて４つのうちの一部が光るようにしてもよい。また、たとえば全数→左上→右上→左下→右下→全数と順に照射するようにしてもよい。コード画像を印刷した紙やカードはカードケースに入れることがある。このとき、ライト１３０を４つ一度に照射するとカードケースに反射してコード画像が正確に読み取れないことがある。そこで、パターンを作って順にライト１３０を照射することによりカードケースなどに光が反射してコード画像を読み取れなくなることを防止し、コード画像を正確に読み取ることができるようになる。
【００２１】
さらに、ライト１３０は、白色が望ましい。コード画像としてカラーバーコードを用いた場合であって、かつ入退室処理装置１００が外廊下などに設置されているとき、たとえば、朝日や夕日の赤色が強いときなどは、カラーバーコードの色が正確に読み取れないことがある。そこで、ライト１３０を白色にすることにより、カラーバーコードの色が正確に読み取れることになる。
【００２２】
図３は、入退室処理装置の全体の処理の手順を示すフローチャートである。以下、図３に示す処理をステップ番号に沿って説明する。
【００２３】
〔ステップＳ１１〕入退室処理装置１００は、電源が投入されると人感センサ１１０を起動する。人感センサ１１０は、入室希望者が近くに来たかを判断する。入室希望者を検知した場合には、処理をステップＳ１２へ進める。
【００２４】
〔ステップＳ１２〕入退室処理装置１００は、人感センサ１１０が入室希望者を検知した場合にカメラ２００を起動する。
【００２５】
〔ステップＳ１３〕入退室処理装置１００は、カメラ２００で撮像したコード画像があらかじめ設定されたコードと一致しているかを判断する。コード画像があらかじめ設定されたコードと一致していると判断したときは、処理をステップＳ１４へ進め、コード画像があらかじめ設定されたコードと一致していないと判断したときは、処理をステップＳ１５へ進める。
【００２６】
〔ステップＳ１４〕入退室処理装置１００は、解錠信号を送信する。この解錠信号により、入退室処理装置１００に接続されているドアの解錠装置が解錠を行う。
【００２７】
〔ステップＳ１５〕入退室処理装置１００は、エラー信号を発する。たとえば、解錠エラーを示すランプを点灯したり、エラー音を発することにより、入室希望者に対して解錠エラーが発生したことを示す。
【００２８】
〔ステップＳ１６〕入退室処理装置１００は、コード画像があらかじめ設定されたコードと一致しているか否かを判断した画像を記憶する。このとき、コード画像があらかじめ設定されたコードと一致したか否かの結果やそのときの時間を同時に記憶すると、入退室管理をするときに役に立つ。また、コード画像があらかじめ設定されたコードと一致しているか否かを判断した画像だけでなく、入室希望者が写り込んでいる画像も同時に記憶するとさらによい。また、当該画像を記憶するだけでなく、入退室処理装置１００をネットワークに接続し、管理パソコンに逐次画像を送信してもよい。
【符号の説明】
【００２９】
１００  入退室処理装置
１１０  人感センサ
１２０  照度センサ
１３０  ライト
１４０  入退室処理部
２００  カメラ
【図１】
2016009302.tif 000003
【図２】
2016009302.tif 000004
【図３】
2016009302.tif 000005